(57)【特許請求の範囲】
【請求項１】
各種情報の表示を制御する表示制御装置であって、
当該表示制御装置における装置のシステム状態を取得する取得手段と、
前記取得手段で取得された当該表示制御装置でのシステム状態を読み込み、そのシステム状態の情報を含む画像であって、他の機器がその画像を読み取った際にその画像に含まれるシステム情報を読み取り可能とする画像情報を生成する生成手段と、
前記生成手段で生成された画像情報を前記各種情報の表示に先立って初期画面と共に表示する表示制御手段と、
を具備したことを特徴とする表示制御装置。
【請求項２】
当該表示制御装置における状態を含むシステム情報をログ情報として記憶するログ情報記憶手段と、
を更に具備し、
前記取得手段は、前記ログ情報記憶手段に記憶されたログ情報を前記システム状態として取得する、
ことを特徴とする請求項１に記載の表示制御装置。
【請求項３】
前記ログ情報記憶手段は、当該表示制御装置における異常状態を検出した際に、その異常状態を含むシステム情報をログ情報として記憶する、
ことを特徴とする請求項２に記載の表示制御装置。
【請求項４】
前記表示制御手段は、前記画像情報を当該表示制御装置の使用開始時に所定時間表示する、
ことを特徴とする請求項１〜３の何れかに記載の表示制御装置。
【請求項５】
前記生成手段は、前記画像情報として２次元コードの画像情報を生成する、
ことを特徴とする請求項１〜４の何れかに記載の表示制御装置。
【請求項６】
前記生成手段は、当該表示制御装置の使用開始時に生成する、
ことを特徴とする請求項１〜５の何れかに記載の表示制御装置。
【請求項７】
各種情報の表示を制御する表示制御装置のコンピュータを制御するためのプログラムであって、
前記コンピュータを、
当該表示制御装置における装置のシステム状態を取得する取得手段、
前記取得手段で取得された当該表示制御装置でのシステム状態を読み込み、そのシステム状態の情報を含む画像であって、他の機器がその画像を読み取った際にその画像に含まれるシステム情報を読み取り可能とする画像情報を生成する生成手段、
前記生成手段で生成された画像情報を前記各種情報の表示に先立って初期画面と共に表示する表示制御手段、
として機能させるようにしたコンピュータ読み取り可能なプログラム。
【発明の詳細な説明】
【技術分野】
【０００１】
本発明は、各種情報の表示を制御する表示制御装置及びプログラムに関する。  
【背景技術】
【０００２】
従来より、画像を表示する表示装置の一例として、プロジェクターが知られている。このプロジェクターは、光源から光を映像信号により変調させ、投射レンズによりスクリーンに投影するものである。プロジェクターの場合には、光源としてランプを使用しているため、使用時間と共にランプの光量が変化し、これにより、投射画像に劣化が生じる。また、光源は、高温の熱源になるため、各部の温度を測定し、機器の異常を監視する必要がある。したがって、プロジェクターでは、ランプの使用時間、機器の使用時間を管理して、保守、点検を行っていく必要がある。また、故障が発生したときには、各部の温度やファンの動作状態が故障の原因を調べる上で重要になる。
【０００３】
このように、プロジェクターでは、故障の診断や、保守が不可欠である。そのためには、機器の使用時間やランプの使用時間を内部に保存しておくことが望まれる。また、各部の温度やファンの状態をエラーログとして保存しておくことが望まれる。そして、故障が発生したときに、保存しておいた機器の使用時間、ランプの使用時間、エラーログ等のシステム情報をオンラインでサポートセンタに送るようにすれば、適切な故障診断を行うことができる。
【０００４】
また、ランプを取り替えたり、スクリーンの配置を変えたりする場合には、各部の設定をし直す必要がある。この場合、適切な設定状態に戻せるように、各部の設定状態を保存できることが望まれる。
【０００５】
なお、例えば特許文献１に示されるように、インターネットを利用した修理サービスが提案されている。このようなシステムを利用すれば、インターネットを利用して、オンラインで故障の診断や、修理、保守を受けることができる。
【先行技術文献】
【特許文献】
【０００６】
【特許文献１】特開２００５−１２２２７０号公報
【発明の概要】
【発明が解決しようとする課題】
【０００７】
しかしながら、インターネットを利用したオンラインの修理サービスでは、プロジェクターをインターネットに接続し、機器の使用時間、ランプの使用時間、エラーログ等をサポートセンタに送信する必要がある。このため、インターネット接続環境を有していないユーザは、故障診断や、保守のサポートを受けられない。また、プロジェクターのシステム情報をインターネットを使って送るためには、プロジェクターとパーソナルコンピュータとをＬＡＮで接続する必要あり、プロジェクターとパーソナルコンピュータとが離れている環境では利用し難い。また、システム情報のバックアップは、従来、メモリーカード等で行っていたが、インターネットやパーソナルコンピュータに不慣れなユーザでは、メモリーカード等を使ったバックアップは、利用し難い。また、メモリーカードには多数の種類やフォーマットがあり、汎用性に問題がある。
【０００８】
本発明は、システム状態の情報を画像情報として表示できるようにすることを目的とする。  
【課題を解決するための手段】
【０００９】
本発明は、各種情報の表示を制御する表示制御装置であって、当該表示制御装置における装置のシステム状態を取得する取得手段と、前記取得手段で取得された当該表示制御装置でのシステム状態を読み込み、そのシステム状態の情報を含む画像であって、他の機器がその画像を読み取った際にその画像に含まれるシステム情報を読み取り可能とする画像情報を生成する生成手段と、前記生成手段で生成された画像情報を前記各種情報の表示に先立って初期画面と共に表示する表示制御手段と、を具備したことを特徴とする。  
【発明の効果】
【００１３】
本発明によれば、システム状態の情報を画像情報として表示できる。
【図面の簡単な説明】
【００１６】
【図１】本発明の第１の実施形態の構成を示すブロック図である。
【図２】情報格納用メモリーに保存されるシステム情報の説明図である。
【図３】本発明の第１の実施形態の説明に用いるフローチャートである。
【図４】システム情報の２次元バーコード符号化の一例の説明図である。
【図５】本発明の第１の実施形態を用いた故障診断のサポートシステムの一例の説明図である。
【図６】本発明の第１の実施形態を用いた故障診断のサポートシステム他の例の説明図である。
【図７】システム情報の２次元バーコード符号化の他の例の説明図である。
【図８】システム情報の２次元バーコード符号化の更に他の例の説明図である。
【図９】本発明の第２の実施形態の構成を示すブロック図である。
【図１０】本発明の第２の実施形態の説明に用いるフローチャートである。
【図１１】本発明の第２の実施形態を用いたバックアップシステムの一例においてシステムデータバックアップ時の説明図である。
【図１２】本発明の第２の実施形態を用いたバックアップシステムの一例においてデータを戻す時の説明図である。
【発明を実施するための形態】
【００１７】
以下、表示装置としてプロジェクターを例にとって、本発明の実施の形態について図面を参照しながら説明する。
＜第１の実施形態＞
図１は、本発明の第１の実施形態のプロジェクターの構成を示すものである。図１において、入力端子１１にアナログの映像信号が供給される。このアナログの映像信号は、Ａ／Ｄコンバーター１２でディジタル化され、制御回路１３に供給される。制御回路１３は、プロジェクター全体の制御を行っている。制御回路１３には、入力キー１４から、各種の入力が与えられる。
【００１８】
Ａ／Ｄコンバーター１２でディジタル化された映像信号は、制御回路１３を介して、ＤＭＤ（Ｄｉｇｉｔａｌ Ｍｉｃｒｏｍｉｒｒｏｒ Ｄｅｖｉｃｅ）制御回路１５に供給される。ＤＭＤ制御回路１５では、入力された映像信号に対して、同期分離、ＹＣ分離、ＩＰ変換、解像度変換、色変換、台形補正等の処理が行われる。ここで、ＹＣ分離は、輝度信号とクロマ信号とを分離する処理である。ＩＰ変換は、インターレース走査からプログレシブ走査への変換である。そして、ＤＭＤ制御回路１５は、入力画像信号に基づくＲＧＢの面順次の画像信号を形成する。この面順次の画像信号は、ＤＭＤ駆動信号として、ＤＭＤ素子１６に供給される。
【００１９】
ＤＭＤ素子１６は、その表面に多数の微小なミラーを配置し、その角度を画素毎に変えられる空間光変調素子である。ＤＭＤ制御回路１５からのＤＭＤ駆動信号がＤＭＤ素子１６に与えられると、ＤＭＤ素子１６の表面の微少なミラーの角度が変えられ、これにより光の進路が変えられ、画素単位で光のオン／オフが行われる。
【００２０】
カラーホイール１７は、Ｒ、Ｇ、Ｂの３色に塗る分けられたホイールである。カラーホイール１７は、ＤＭＤ制御回路１５により、入力映像信号の垂直同期信号に同期して回転される。
【００２１】
ランプ１８は、制御回路１３の制御の基に、ランプ駆動回路１９により駆動される。ランプ１８からの光は、レンズ２０、カラーホイール１７を介して、ＤＭＤ素子１６に照射される。これにより、ＤＭＤ素子１６には、入力画像信号の垂直同期信号に同期して、ＲＧＢの光が順次照射される。
【００２２】
ＤＭＤ素子１６には、ＤＭＤ制御回路１５から面順次の画像信号がＤＭＤ駆動信号として供給される。ＤＭＤ素子１６の表面の微少ミラーの角度は、ＤＭＤ駆動信号により変えられ、光の進路が変えられる。このため、ＤＭＤ素子１６の反射光は、ＤＭＤ制御回路１５からのＤＭＤ駆動信号により画素単位で変調される。このＤＭＤ駆動信号により変調を受けた光は、投射光として、投射レンズ（図示せず）を介して拡大され、投射面に投射される。これにより、投射面には投射画像２１が映し出される。
【００２３】
本発明の第１の実施形態のプロジェクターには、各場所の温度を検知するサーミスタ３１ａ、３１ｂ、３１ｃ、３１ｄが設けられる。これらサーミスタ３１ａ〜３１ｄの検知出力は、制御回路１３に送られる。また、各場所を冷却するためのファン３２ａ、３２ｂ、３２ｃ、３２ｄが設けられる。これらファン３２ａ〜３２ｄの回転は、制御回路１３により制御される。
【００２４】
また、本発明の第１の実施形態のプロジェクターには、各種のシステム情報を保存するための情報格納用メモリー３３が設けられている。
【００２５】
図２は、情報格納用メモリー３３に格納されるシステム情報の一例を示すものである。図２に示すように、情報格納用メモリー３３には、機器のシリアル番号と、現在までのランプの使用時間と、現在までの機器使用時間とが保存される。また、情報格納用メモリー３３には、エラーログとして、ランプ点灯時間と、機器使用時間と、サーミスタ３１ａ〜３１ｄの検知温度と、ファン３２ａ〜３２ｄの動作状態と、ＤＭＤ素子１６の動作状態と、電源動作状態とが記録される。更に、言語設定、入力設定、画質設定等の機器の設定値が保存される。
【００２６】
本発明の第１の実施形態では、情報格納用メモリー３３の内容がエンコーダ３４で２次元バーコードにエンコードされ、電源オン時の画面で、初期画面と共に、この２次元バーコードの画像が映し出される。２次元バーコードは、例えばＱＲコード（登録商標）である。勿論、ＱＲコード（登録商標）以外の２次元コードや、単純なバーコードを用いても良い。この２次元バーコードの画像は、後に説明するように、故障の診断や、修理、保守に利用できる。
【００２７】
図３は、電源オン時の処理を示すフローチャートである。
図３において、電源投入時には、先ず、サーミスタ３１ａ〜３１ｄの検知温度が規定値以内かどうかがチェックされる（ステップＳ１）。サーミスタ３１ａ〜３１ｄの検知温度が規定値を越えている場合には、ランプ１８の点灯は危険であると判断され、ランプ１８が消灯される（ステップＳ２）。そして、エラーログが更新され（ステップＳ３）、スタンバイ状態となる。
【００２８】
ステップＳ１で、サーミスタ３１ａ〜３１ｄの検知温度が規定値以内ならば、ランプ１８が点灯される（ステップＳ４）。そして、情報格納用メモリー３３の内容が読み出される（ステップＳ５）。この情報格納用メモリー３３の内容は、エンコーダ３４に送られ、エンコーダ３４で、この情報から２次元バーコードの画像情報が生成される（ステップＳ６）。
【００２９】
すなわち、図４（Ａ）に示すように、機器のシリアル番号、現在までのランプの使用時間、現在までの機器の使用時間、エラー発生時にそのときの内部状態を記録したエラーログ、機器の設定値等のシステム情報（設定情報）が情報格納用メモリー３３から読み出され、図４（Ｂ）に示すように、このシステム情報（設定情報）が２次元バーコードの情報に変換される。
【００３０】
図３において、情報格納用メモリー３３の内容を示す２次元バーコードの画像が生成されたら、この２次元バーコードの画像が初期画面と共に投射される（ステップＳ７）。そして、所定の設定時間が経過したかどうかが判断され（ステップＳ８）、所定の設定時間だけ、２次元バーコードの画像と初期画面との投射が行われる。
【００３１】
所定の設定時間が経過したら、エラーが発生していないかどうかがチェックされる（ステップＳ９）。エラーが発生していたら、ランプ１８が消灯され（ステップＳ２）、エラーログが更新され（ステップＳ３）、スタンバイ状態となる。
【００３２】
エラーが発生していなければ、通常投影が行われる（ステップＳ１０）。そして、この間、サーミスタ３１ａ〜３１ｄの検知温度に異常がないかどうかが判断される（ステップＳ１１）。サーミスタ３１ａ〜３１ｄの検知温度に異常が検出されたら、ランプ１８の点灯は危険と判断し、ランプ１８が消灯され（ステップＳ２）、エラーログが更新され（ステップＳ３）、スタンバイ状態となる。
【００３３】
以上説明したように、本発明の第１の実施形態のプロジェクターでは、機器シリアル番号、現在までのランプの使用時間、現在までの機器の使用時間、エラー発生時にそのときの内部状態を記録したエラーログ、機器の設定値等のシステム情報が格納された情報格納用メモリー３３が設けられており、電源投入時に、この情報格納用メモリー３３の内容が２次元バーコードの画像にコード化され、初期画面に含めて投射される。この２次元バーコードの画像を利用することで、プロジェクターの故障診断、保守に役立てることができる。
【００３４】
図５は、本発明の第１の実施形態のプロジェクター１の故障診断、保守を行うときのシステム構成を示すものである。
【００３５】
図５に示すように、本発明の第１の実施形態のプロジェクター１では、電源投入時に、メーカのロゴ等の初期画像４０と共に、２次元バーコードの画像４１が表示される。この２次元バーコードの画像４１は、機器シリアル番号、現在までのランプの使用時間、現在までの機器の使用時間、エラー発生時にそのときの内部状態を記録したエラーログ、機器の設定値等のシステム情報をコード化したものである。
【００３６】
プロジェクター１の故障診断、保守を行う際には、ユーザは、電源投入時に映し出される２次元バーコードの画像４１を、そのユーザの所有するカメラ付き携帯電話端末４２で撮影し、その２次元バーコードの画像４１を添付した電子メール４３をサポートセンタ４４に送付する。
【００３７】
サポートセンタ４４では、電子メール４３に添付されてきた２次元バーコードの画像４１を解読することにより、現在までのランプの使用時間、現在までの機器の使用時間、エラー発生時にそのときの内部状態を記録したエラーログ、機器の設定値等の情報を得ることができる。これにより、プロジェクター１の故障診断、保守を行うことができる。
【００３８】
なお、上述の例では、プロジェクター１の故障診断、保守を行う際に、ユーザは、電源投入時に映し出される２次元バーコードの画像４１を、そのユーザの所有するカメラ付き携帯電話端末４２で撮影しているが、図６に示すように、ディジタルカメラ４５で撮影するようにしても良い。図６において、プロジェクター１の故障診断、保守を行う際には、ユーザは、電源投入時に映し出される２次元バーコードの画像４１を、そのユーザの所有するディジタルカメラ４５で撮影し、この画像をメモリーカード４７でパーソナルコンピュータ４６に移し、パーソナルコンピュータ４６により、２次元バーコードの画像４１を添付した電子メール４３をサポートセンタ４４に送付している。
【００３９】
なお、図４の例では、情報格納用メモリー３３の情報をそのまま２次元バーコードの画像にエンコードしているが、情報格納用メモリー３３の情報を２次元バーコードの画像にエンコードする際に、サービスセンタの宛先や件名を含めてエンコードするようにしても良い。すなわち、２次元バーコードには、コード中にメールアドレスとして認識可能な文字列がある場合には、メーラを起動し、送信メール作成画面に遷移する機能を有するものがある。そこで、図７に示すように、例えば、サービスセンタの宛先をエンコードし、件名としてシリアル番号を含めて、２次元バーコードを生成する。このようにすると、ユーザがアドレスや件名を入力しなくても、ユーザの所有するカメラ付き携帯電話端末４２で撮影するだけで、２次元バーコードの画像４１を添付した電子メール４３をサポートセンタ４４に送付することができる。
【００４０】
また、図４の例では、情報格納用メモリー３３のシステム情報を１つの２次元バーコードの画像にエンコードしているが、図８に示すように、情報格納用メモリー３３のシステム情報を複数に分けて、複数の２次元バーコードの画像にエンコードするようにしても良い。
【００４１】
＜第２の実施形態＞
図９は、本発明の第２の実施形態を示すものである。
この実施形態では、入力映像信号中の２次元バーコードを解読して、情報を取得するためのデコーダ３５が設けられている。また、バックアップ読み取りモードに設定するためのモード設定キー３６が設けられている。なお、前述の第１の実施形態と同様な部分には、同一符号を付して、その説明を省略する。
【００４２】
図１０は、本発明の第２の実施形態の電源投入時の動作を示すフローチャートである。図１０において、電源投入時には、先ず、サーミスタ３１ａ〜３１ｄの検知温度が規定値以内かどうかがチェックされる（ステップＳ２１）。サーミスタ３１ａ〜３１ｄの検知温度が規定値を越えている場合には、ランプ１８の点灯は危険であると判断され、ランプ１８が消灯される（ステップＳ２２）。そして、エラーログが更新され（ステップＳ２３）、スタンバイ状態となる。
【００４３】
ステップＳ２１で、サーミスタ３１ａ〜３１ｄの検知温度が規定値以内ならば、ランプ１８が点灯される（ステップＳ２４）。そして、情報格納用メモリー３３の内容が読み出される（ステップＳ２５）。この情報格納用メモリー３３の内容は、エンコーダ３４に送られ、エンコーダ３４で、この情報から２次元バーコードの画像情報が生成される（ステップＳ２６）。
【００４４】
情報格納用メモリー３３の内容を示す２次元バーコードの画像が生成されたら、この２次元バーコードの画像が初期画面と共に投射される（ステップＳ２７）。そして、所定の設定時間が経過したかどうかが判断され（ステップＳ２８）、所定の設定時間だけ、２次元バーコードの画像と初期画面との投射が行われる。
【００４５】
所定の設定時間が経過したら、エラーが発生していないかどうかがチェックされる（ステップＳ２９）。エラーが発生していたら、ランプが消灯され（ステップＳ２２）、エラーログが更新され（ステップＳ２３）、スタンバイ状態となる。
【００４６】
エラーが発生していなければ、通常投影が行われる（ステップＳ３０）。そして、バックアップ読み取りモードに設定されているかどうかが判断される（ステップＳ３１）。バックアップ読み取りモードに設定されていなければ、サーミスタ３１ａ〜３１ｄの検知温度に異常がないかどうかが判断され（ステップＳ３２）、異常がなければ、ステップＳ３０にリターンし、通常投影が続けられる。サーミスタ３１ａ〜３１ｄの検知温度に異常が検出されたら、ランプ１８の点灯は危険と判断し、ランプ１８が消灯され（ステップＳ２２）、エラーログが更新され（ステップＳ２３）、スタンバイ状態となる。
【００４７】
ステップＳ３１で、バックアップ読み取りモードに設定されているときには、入力された映像信号中の２次元バーコードが判別され（ステップＳ３３）、この２次元バーコードがデコーダ３５でデコードされる（ステップＳ３４）。
【００４８】
そして、デコードされた情報が設定値であるかどうかが判断され（ステップＳ３５）、設定値がデコードされていた場合には、この情報に基づいて設定値が変更され（ステップＳ３６）、情報格納用メモリー３３の内容が書き換えられる（ステップＳ３７）。ステップＳ３５で、デコードされた情報が有効な設定値の情報でないときには、読み込み不能が表示される（ステップＳ３８）。
【００４９】
本発明の第２の実施形態では、入力映像信号中の２次元バーコードを解読して、情報を取得するためのデコーダ３５が設けられ、また、モード設定キー３６によりバックアップ読み取りモードに設定することができる。これにより、プロジェクターの各種の設定を２次元バーコードを撮影することで保存することができる。また、撮影された２次元バーコードの画像を再生して、各種の設定を以前の状態に戻すことができる。
【００５０】
図１１は、本発明の第２の実施形態において、各種の設定値を保存する場合のシステム構成を示し、図１２は、保存しておいた設定値に基づいて、設定値を戻す場合のシステム構成を示すものである。
【００５１】
図１１に示すように、各種の設定値を保存する場合には、ディジタルカメラ１４５が用意される。そして、プロジェクター１０１により、電源投入時に、初期画面１４０と、２次元バーコードの画像１４１とが投射される。この２次元バーコードの画像１４１は、機器のシリアル番号と、現在までのランプの使用時間、現在までの機器の使用時間、エラー発生時にそのときの内部状態を記録したエラーログ、機器の設定値等のシステム情報をコード化したものである。電源投入時の２次元バーコード画像１４１は、ディジタルカメラ１４５で撮影され、この２次元バーコード画像１４１を記録したメモリーカード１４７は、バックアップ情報として、メモリーカード１４７に保存される。
【００５２】
プロジェクター１０１の各種の設定値を、バックアップ情報により、以前に戻す場合には、図１２に示すように、ディジタルカメラ１４５とプロジェクター１０１とをケーブル１４８で接続する。そして、プロジェクター１０１をバックアップ読み取りモードに設定し、以前に電源投入時の画像を記録したメモリーカード１４７をディジタルカメラ１４５に装着し、その画像をディジタルカメラ１４５で再生させる。
【００５３】
メモリーカード１４７をディジタルカメラ１４５に装着して再生させると、投射画面には、以前に記録した電源投入時の画像が表示される。この画像には、初期画面１４０と２次元バーコード画像１４１からなる。そして、この２次元バーコード画像１４１には、そのときのシステム情報が含まれている。
【００５４】
図１０において、フローチャートで示すように、バックアップ読み取りモードに設定されているときには、入力された映像信号中の２次元バーコードが判別され、この２次元バーコードがデコードされ、デコードされた情報が設定値である場合には、この情報に基づいて設定値が変更され、情報格納用メモリー３３の内容が更新される（ステップＳ３１〜ステップＳ３７）。
【００５５】
したがって、バックアップ読み取りモードに設定されているときには、メモリーカード１４７に保存されていた２次元バーコード画像１４１からシステム情報が解読され、このシステム情報の設定値に基づいて、プロジェクター１０１の各種の設定値が更新される。このように、バックアップ読み取りモードに設定すると、以前に電源投入時の画像を記録したメモリーカード１４７がバックアップ情報となり、プロジェクター１０１の各種の設定値を、以前の設定値に戻すことができる。
【００５６】
なお、ここでは、メモリーカード１４７で撮影した画像をディジタルカメラ１４５で再生させているが、再生機器は、これに限定されるものではない。ディジタルカメラ１４５の代わりに、パーソナルコンピュータで再生させるようにしても良い。
【００５７】
以上、本発明の実施形態につき、図面を参照して詳述してきたが、具体的な構成はこの実施形態に限られるものではなく、この発明の要旨を逸脱しない範囲の設計等も含まれる。例えば、本実施形態においては、情報格納用メモリーの内容が変換されたバーコードを表示するタイミングを電源投入時とする例について説明したが、これに限らず、例えば、システムエラー発生時であってもよいし、ユーザにより任意のタイミングを設定してもよい。
【産業上の利用可能性】
【００５８】
本発明は、プロジェクターのオンラインでの故障診断や、プロジェクターの各種のデータのバックアップに利用することができる。
【符号の説明】
【００５９】
１：プロジェクター、
３１ａ〜３１ｄ：サーミスタ、
３２ａ〜３２ｄ：ファン、
３３：情報格納用メモリー、
３４：エンコーダ、
３５：デコーダ、
３６：モード設定キー、
４０：初期画像、
４１：２次元バーコードの画像、
４２：カメラ付き携帯電話端末、
４３：電子メール、
４４：サポートセンタ、
４５：ディジタルカメラ、
４６：パーソナルコンピュータ、
４７：メモリーカード
【図１】
0005527398.tif 000002
【図２】
0005527398.tif 000003
【図３】
0005527398.tif 000004
【図４】
0005527398.tif 000005
【図５】
0005527398.tif 000006
【図６】
0005527398.tif 000007
【図７】
0005527398.tif 000008
【図８】
0005527398.tif 000009
【図９】
0005527398.tif 000010
【図１０】
0005527398.tif 000011
【図１１】
0005527398.tif 000012
【図１２】
0005527398.tif 000013